(57)【要約】【課題】屋外の状況を分かり易く表示することを可能とする。【解決手段】ＰＯＳ端末１は、屋外に設置されたネットワークカメラ３４で撮像した撮像画像と、その撮像画像にかかる屋外状況を示す情報とをネットワークＮＴを介して入力し、入力された撮像画像及び撮像画像にかかる屋外状況を示す情報を表示する。【選択図】図１
2010286990.tif 000002
【特許請求の範囲】
【請求項１】
屋外に設置されたカメラで撮像した撮像画像と、当該撮像画像にかかる屋外状況を示す情報とを入力する入力手段と、
前記撮像画像及び当該撮像画像にかかる屋外状況を示す情報を表示する表示手段と、
を備えることを特徴とする表示装置。
【請求項２】
前記撮像画像にかかる屋外状況を示す情報は、前記屋外における駐車場の混雑具合であり、
前記表示手段は、前記撮像画像と、前記混雑具合を示すシンボル画像及び文字情報の少なくとも一方とを表示することを特徴とする請求項１に記載の表示装置。
【請求項３】
前記表示手段は、前記混雑具合が予め設定された混雑具合を上回る場合に、予め設定された広告情報の表示から、前記撮像画像と、前記混雑具合を示すシンボル画像及び文字情報の少なくとも一方との表示に切り替えることを特徴とする請求項２に記載の表示装置。
【請求項４】
前記撮像画像にかかる屋外状況を示す情報は、前記屋外における天気であり、
前記表示手段は、前記撮像画像と、前記天気を示すシンボル画像及び文字情報の少なくとも一方とを表示することを特徴とする請求項１に記載の表示装置。
【請求項５】
前記表示手段は、前記天気が雨又は雪に変化した場合に、予め設定された広告情報の表示から、前記撮像画像と、前記天気を示すシンボル画像及び文字情報の少なくとも一方との表示に切り替えることを特徴とする請求項４に記載の表示装置。
【請求項６】
屋外に設置されたカメラで撮像した撮像画像と、当該撮像画像にかかる屋外状況を示す情報とを入力する入力手段と、
買上商品の精算と、当該精算に応じた販売データの登録とを含むデータ処理を行うデータ処理手段と、
前記精算にかかる情報と、前記撮像画像と、当該撮像画像にかかる屋外状況を示す情報とを客向けに表示する表示手段と、
を備えることを特徴とする販売データ処理装置。
【請求項７】
前記データ処理手段は、駐車料金の精算にかかるデータ処理を行うとともに、
前記表示手段は、前記駐車料金の精算を行う場合に、予め設定された広告情報の表示から、前記撮像画像と、当該撮像画像にかかる屋外状況を示す情報との表示に切り替えることを特徴とする請求項６に記載の販売データ処理装置。
【請求項８】
表示装置のコンピュータを、
屋外に設置されたカメラで撮像した撮像画像と、当該撮像画像にかかる屋外状況を示す情報とを入力する入力手段と、
前記撮像画像及び当該撮像画像にかかる屋外状況を示す情報を表示する表示手段と、
して機能させるためのプログラム。
【発明の詳細な説明】
【技術分野】
【０００１】
本発明は、表示装置、販売データ処理装置及びプログラムに関する。
【背景技術】
【０００２】
大型ショッピングモールなどの店舗では、駐車場の混み具合や現在の天気などの屋外の状況が店舗内から容易に分からない場合がある。このように屋外の状況が店舗内から分からない場合は、雨止みや混雑が収まるまで店舗に留まろうとする買い物客を逃すことになり、商機を逸してしまうこととなる。このため、従来、屋外に設置されたカメラの映像を表示するＰＯＳ（Point Of Sale）端末がある。特許文献１には、屋外の監視カメラが撮像した画像をＰＯＳ端末のディスプレイに表示することが開示されている。
【発明の概要】
【発明が解決しようとする課題】
【０００３】
しかしながら、上記従来技術では、屋外の画像がＰＯＳ端末のディスプレイに表示されるだけであり、その屋外の画像だけでは駐車場の混み具合や現在の天気などの屋外の状況が分かりにくかった。
【０００４】
本発明は、上記に鑑みてなされたものであって、屋外の状況を分かり易く表示することを可能とする表示装置、販売データ処理装置及びプログラムを提供することを目的とする。
【課題を解決するための手段】
【０００５】
上述した課題を解決し、目的を達成するために、本発明の表示装置は、屋外に設置されたカメラで撮像した撮像画像と、当該撮像画像にかかる屋外状況を示す情報とを入力する入力手段と、前記撮像画像及び当該撮像画像にかかる屋外状況を示す情報を表示する表示手段と、を備えることを特徴とする。
【０００６】
また、本発明の販売データ処理装置は、屋外に設置されたカメラで撮像した撮像画像と、当該撮像画像にかかる屋外状況を示す情報とを入力する入力手段と、買上商品の精算と、当該精算に応じた販売データの登録とを含むデータ処理を行うデータ処理手段と、前記精算にかかる情報と、前記撮像画像と、当該撮像画像にかかる屋外状況を示す情報とを客向けに表示する表示手段と、を備えることを特徴とする。
【０００７】
また、本発明は、表示装置のコンピュータを、屋外に設置されたカメラで撮像した撮像画像と、当該撮像画像にかかる屋外状況を示す情報とを入力する入力手段と、前記撮像画像及び当該撮像画像にかかる屋外状況を示す情報を表示する表示手段と、して機能させるためのプログラムである。
【発明の効果】
【０００８】
本発明によれば、屋外の状況を分かり易く表示することを可能とする、という効果を奏する。
【図面の簡単な説明】
【０００９】
【図１】図１は、本実施形態にかかるＰＯＳシステムの一例を示す図である。
【図２】図２は、本実施形態にかかるＰＯＳ端末の概観を示す図である。
【図３】図３は、本実施形態にかかる操作キーの配置を例示する図である。
【図４】図４は、本実施形態にかかるＰＯＳ端末の制御回路構成の要部を例示する図である。
【図５】図５は、本実施形態にかかるＰＯＳ端末が行う処理の手順を例示するフローチャートである。
【図６】図６は、本実施形態にかかるＰＯＳシステムの処理を例示する図である。
【図７】図７は、本実施形態にかかる客用表示画面を例示する図である。
【図８】図８は、本実施形態にかかる客用表示画面を例示する図である。
【図９】図９は、本実施形態にかかるＰＯＳシステムの処理を例示する図である。
【図１０】図１０は、本実施形態にかかる客用表示画面を例示する図である。
【発明を実施するための形態】
【００１０】
以下に添付図面を参照して、この発明にかかる表示装置、販売データ処理装置及びプログラムの最良な実施の形態を詳細に説明する。なお、本実施形態においては、ＰＯＳ端末に表示装置、販売データ処理装置を適用する場合について説明する。
【００１１】
図１は、本実施形態にかかるＰＯＳシステムの一例を示す図である。図１に示すように、ＰＯＳシステムは、それぞれ商品のバーコードを読み取るためのスキャナ９を備えた複数台（図示例では２台）のＰＯＳ端末１、その上位機として機能するストアサーバ３０、プリンタサーバ３２、雨量センサ３３、ネットワークカメラ３４、ＦＷ３５、ホスト装置３６とがネットワークＮＴを介して接続されている。ネットワークＮＴは、ＬＡＮ（Local Area Network）、イントラネット、イーサネット（登録商標）などである。
【００１２】
プリンタサーバ３２は、各種帳票を印刷するためのプリンタ３１を制御するサーバである。雨量センサ３３は、屋外における降雨や降雪の有無及びその強度を検出し、検出結果をネットワークＮＴへブロードキャストする。ネットワークカメラ３４は、屋外に設置されたカメラであり、ＰＯＳ端末１からの要求に応じて撮像した画像を伝送する。なお、複数のＰＯＳ端末１から要求があった場合は撮像した画像をマルチキャストしてよい。ＦＷ３５（ファイアーウォール）は、内部のネットワークＮＴと外部のインターネット４０との通信を制御し、ネットワークＮＴの安全を維持しつつ、インターネット４０上にあるサーバ４１とネットワークＮＴ上にあるＰＯＳ端末１などとの通信を行わせる。ホスト装置３６は、駐車場の入り口などに配置された駐車券発券機３７と、駐車場の出口などに配置された駐車料精算機３８と接続し、駐車券の発行及び発行された駐車券に基づいた駐車料金の精算を管理する。具体的には、ホスト装置３６は、駐車券発券機３７が発行した駐車券の発行時刻をもとに滞在時間を算出し、その算出された滞在時間に応じた駐車料金の精算を駐車料精算機３８で行う。サーバ４１は、インターネット４０を介して要求があった端末へその要求に応じた情報を提供するなど、各種サービスを提供する。例えばサーバ４１は、地域などを指定した天気情報の要求が端末からあった場合、その指定された地域における現在の天気状況と今後の天気の推移とを示す天気情報を、要求があった端末へ提供する。
【００１３】
このようなＰＯＳシステムが構築される店舗では、販売対象の各種商品に対して、その商品に関する各種情報がコード化されて示されるバーコードが各々の商品に付与されている。バーコードには、商品の価格を示す商品データが含まれない。このため、各種商品の商品コードに対応して価格データがプリセットされた商品マスタファイルがストアサーバ３０に記憶されている。ＰＯＳ端末１は、スキャナ９で読み取ったバーコードのデータから商品コードを抽出し、この商品コードに対応して設定された価格データをストアサーバ３０に問い合わせ、取得した価格データに基づいて買上商品の精算を行うとともに、買上商品の販売記録を示す販売データを生成してこれを記憶することにより、買上商品の販売登録を行う。
【００１４】
また、ＰＯＳ端末１は、雨量センサ３３によりネットワークＮＴへブロードキャストされたデータをもとに、屋外における降雨や降雪の有無及びその強度に関する情報が入力される。ＰＯＳ端末１は、屋外に設置されたネットワークカメラ３４へ撮像した画像を要求することで、そのネットワークカメラ３４が撮像した屋外の画像（撮像画像）が入力される。また、ホスト装置３６では、駐車券発券機３７で発行された駐車券の枚数と駐車料精算機３８で精算された駐車券の枚数との差分などを管理している。この差分は、屋外の駐車場における現在の駐車台数を示す。したがって、ＰＯＳ端末１は、ホスト装置３６から現在の駐車台数を示す差分を取得することで、屋外の駐車場における駐車可能台数に対する現在の駐車台数の割合など、屋外の駐車場における混雑具合を取得する。なお、混雑具合については、天候、曜日、時間帯ごとの売り上げを示す売り上げテーブルをＰＯＳ端末１又はストアサーバ３０などに予め記憶しておき、それを参照することで、現在、予測される混雑具合を取得してもよい。例えば、売り上げテーブルにおいて売り上げが多い時間帯は、客が多くより混雑しているものと予測される。したがって、ＰＯＳ端末１は、売り上げテーブルにおける現在の売り上げ額を取得することで、取得した売り上げ額の大小に応じた混雑具合を取得できる。
【００１５】
図２は、本実施形態にかかるＰＯＳ端末１の概観を示す図である。図２に示すように、ＰＯＳ端末１は、現金等を収容するためのドロワ２の上に載置されており、このドロワ２の引出し２ａの開閉を制御する。ＰＯＳ端末１には、正面側にキーボード３とモードスイッチ４とが設けられているとともにオペレータ用ディスプレイ５が取り付けられており、背面側には、客向けに情報を表示するための表示装置としてのタッチパネル付客用ディスプレイ６が取り付けられている。また、レシート及びジャーナルを印字するＲ／Ｊプリンタ７が内蔵されており、このＲ／Ｊプリンタ７によって印字されたレシートがＰＯＳ端末１の正面側に形成されたレシート発行口８から発行されるようになっている。また、ＰＯＳ端末１には、上述したように、商品に添付されたバーコードを読み取るためのスキャナ９が接続されている。
【００１６】
キーボード３には、オペレータが操作入力を行うための各種操作キーが配置されている。図３は、本実施形態にかかる操作キーの配置を例示する図である。操作キーとしては、例えば、預かり金額などを置数するための置数キー３ａ、１商取引の代金を現金決済することを宣言する預／現計キー３ｂ、１商取引として販売登録が行われた商品の合計出力を指示する小計キー３ｃ、置数の入力を販売点数（販売個数）として入力させるための乗算キー３ｄ、直前に販売登録が行われた商品と同一の商品の販売登録を行うことを指示するためのリピートキー３ｅ、買上金額に応じた駐車料金の精算を行うための駐車券処理キー３ｆなどがある。この置数キー３ａによる数値の入力及び乗算キー３ｄによる操作入力により、入力された数値を販売点数として置数して乗算する操作指示が入力され、バーコードの読み取りが１つの商品に対してのみであっても、複数の同一の商品の販売登録を一括して行う乗算登録が可能になる。また、リピートキー３ｅによる操作入力により、直前に販売登録が行われた商品と同一の商品の販売登録を行う操作指示が入力され、当該同一の商品についてバーコードの読み取りが必要なく、その販売登録を行うリピート登録が可能になる。また、買上商品の精算時において、駐車券処理キー３ｆの入力とスキャナ９やリーダ（図示しない）などによる駐車券の読み取りとがあった場合は、その駐車券の駐車料金を買上金額に応じて予め精算し、その精算結果をホスト装置３６に通知する。これにより、駐車券による駐車料金の精算を駐車料精算機３８で行う際には、買上金額に応じてＰＯＳ端末１で精算した残りの額を精算するだけでよい。
【００１７】
モードスイッチ４は、「登録」，「点検」，「精算」，「設定」などの各種業務モードを選択するためのスイッチで、鍵にて操作される。因みに、「登録」とは、商品の販売記録を示す販売データを生成して記憶することにより販売登録を行い、また販売登録の終了が宣言された１商取引の代金精算を処理してレシートを発行する業務のモードである。「点検」とは、記憶された各商品の販売データを集計しレポート出力する業務のモードである。「精算」とは、「点検」と同様に記憶された各商品の販売データを集計しレポート出力した後、記憶された販売データをクリアする業務のモードである。「設定」とは、各種業務を実行する上で必要なデータを予め設定して記憶するための業務である。
【００１８】
オペレータ用ディスプレイ５及びタッチパネル付客用ディスプレイ６は、販売登録された商品の品名，価格や、販売登録の終了が宣言された１商取引の合計金額，釣銭額などの各種情報を表示するもので、液晶カラーディスプレイ等が用いられている。オペレータ用ディスプレイ５はオペレータ向けに各種情報を表示し、タッチパネル付客用ディスプレイ６は客向けに各種情報を表示する。なお、タッチパネル付客用ディスプレイ６の画面には、図示しないがタッチセンサパネルが取り付けられている。
【００１９】
図４は、本実施形態にかかるＰＯＳ端末１の制御回路構成の要部を例示する図である。このＰＯＳ端末１は、ＣＰＵ１０（Central Processing Unit）と、ＲＯＭ１１（Read Only Memory）と、ＲＡＭ１２（Random Access Memory）と、時計部１３と、通信Ｉ／Ｆ１４と、Ｉ／Ｏ１５（Input/Output）と、キーボードコントローラ１６と、表示コントローラ１７、１８と、プリンタコントローラ１９と、スキャナコントローラ２０とを備え、これらがアドレスバス，データバスなどのバスライン２１で接続されている。ＣＰＵ１０は、ＲＯＭ１１に記憶された各種プログラムを実行することにより、ＰＯＳ端末１全体を制御する。ＲＯＭ１１は、ＣＰＵ１０が実行する各種プログラムや各種データを記憶する。ＲＡＭ１２は、ＣＰＵ１０が各種プログラムを実行する際に一時的にデータやプログラムを記憶する。例えば、商品の販売記録を示す販売データを記憶するための販売データ領域がＲＡＭ１２には設けられている。時計部１３は、現在の日時を計時する。通信Ｉ／Ｆ１４は、ネットワークＮＴを介して行うデータ通信を制御する。具体的には、屋外に設置されたネットワークカメラ３４で撮像した撮像画像と、その撮像画像にかかる屋外状況（混雑具合や天気など）をネットワークＮＴを介して入力する。Ｉ／Ｏ１５は、モードスイッチ４からのモード選択信号を入力するとともにドロワ２の引出し２ａを自動開放させるドロワ開放装置２ｂに駆動信号を出力する。キーボードコントローラ１６は、キーボード３から操作キーに対応したキー信号を取込みＣＰＵ１０に通知する。表示コントローラ１７は、オペレータ用ディスプレイ５の駆動を制御しＣＰＵ１０から与えられる表示データに対応した文字等をカラー表示させる。表示コントローラ１８は、タッチパネル付客用ディスプレイ６の駆動を制御しＣＰＵ１０から供給される表示データに対応した文字や画像等をカラー表示させるとともに、タッチパネル付客用ディスプレイ６の画面に取り付けられたタッチセンサパネルからの信号を取込みＣＰＵ１０に通知する。プリンタコントローラ１９は、Ｒ／Ｊプリンタ７の駆動を制御しＣＰＵ１０から供給される印字データをもとにレシート印字及びジャーナル印字を行わせる。スキャナコントローラ２０は、スキャナ９で読取られたデータの信号を取込みＣＰＵ１０に入力する。
【００２０】
次に、ＰＯＳ端末１がＣＰＵ１０の制御のもとで行う処理の手順について、図５を参照して説明する。図５は、本実施形態にかかるＰＯＳ端末１が行う処理の手順を例示するフローチャートである。
【００２１】
図５にしめすように、処理が開始されると、ＣＰＵ１０は、雨量センサ３３によりネットワークＮＴにブロードキャストされる屋外の降雨・降雪の有無やその強度に関する情報を取得するとともに、サーバ４１からは屋外における現在の天気状況や予測された今後の天気状況を含む天気情報を取得し（Ｓ１０）、その取得した天気情報をもとに屋外で雨（雪）が降っているか否かを判定する（Ｓ１１）。
【００２２】
雨が降っていない場合（ＮＯ）、ＣＰＵ１０は、タッチパネル付客用ディスプレイ６における客向けの情報表示を、予め設定された広告情報などを表示する通常表示に設定する（Ｓ１２）。雨が降っている場合（ＹＥＳ）、ＣＰＵ１０は、タッチパネル付客用ディスプレイ６における客向けの情報表示を、取得した天気情報と、ネットワークカメラ３４で撮像した屋外の画像との表示に設定する（Ｓ１３）。
【００２３】
次いで、ＣＰＵ１０は、前述した売り上げテーブルを参照し（Ｓ１４）、客が多い時間帯であるか否かを判定する（Ｓ１５）。具体的には、Ｓ１４、Ｓ１５では、売り上げテーブルにおける現在の売り上げ額が予め設定された閾値を上回り、駐車場における混雑具合が所定の混雑具合よりも混雑しているか否かが判定される。なお、この混雑具合の判定は、前述したとおり、ホスト装置３６から現在の駐車台数を示す差分を取得して行ってもよい。
【００２４】
客が多い時間帯である場合（ＹＥＳ）、ＣＰＵ１０は、タッチパネル付客用ディスプレイ６における客向けの情報表示を、混雑具合を示す混雑情報と、ネットワークカメラ３４で撮像した屋外の画像との表示に設定する（Ｓ１６）。なお、Ｓ１６では、混雑情報、屋外の画像とともに天気情報の表示を加えて設定してもよい。ただし、Ｓ１３により天気情報の表示を設定している場合は、必ず天気情報の表示を加えるものとする。
【００２５】
次いで、ＣＰＵ１０は、Ｓ１２、Ｓ１３、Ｓ１６などによる設定内容に応じた画像をタッチパネル付客用ディスプレイ６に表示させる（Ｓ１７）。具体的には、通常表示の場合は、ＲＯＭ１１などにおいて予め記憶された広告用の画像情報や文字情報を読み出してタッチパネル付客用ディスプレイ６に表示する。天気情報を表示する場合は、取得した天気情報に含まれる現在の天気状況（晴れ、降雨、降雪など）や予測された今後の天気状況を示すシンボル画像をＲＯＭ１１などから読み出して表示する。また、現在の天気状況及び予測された今後の天気状況を文字で表示してもよく、文字及びシンボル画像の少なくとも一方を天気情報として表示すればよい。混雑情報を表示する場合は、混雑具合の大小をグラフなどで表したシンボル画像を表示する。また、混雑具合の大小を文字で表示してもよく、文字及びシンボル画像の少なくとも一方を混雑情報として表示すればよい。さらに、混雑具合の大小については、駐車場から出庫までに要する時間などに換算して表示してもよい。屋外の画像を表示する場合は、ネットワークＮＴを介してネットワークカメラ３４に画像を要求し、ネットワークカメラ３４から送信された画像を表示する。
【００２６】
上述した処理により、ＰＯＳ端末１は、屋外に設置されたネットワークカメラ３４の撮像画像及び撮像画像にかかる屋外状況を示す情報を表示する。具体的には、ネットワークカメラ３４により撮像された屋外の画像とともに、現在の天気状況や予測された今後の天気状況をシンボル画像及び文字の少なくとも一方でタッチパネル付客用ディスプレイ６に表示する。また、ネットワークカメラ３４により撮像された屋外の画像とともに、駐車場における混雑具合をシンボル画像及び文字の少なくとも一方でタッチパネル付客用ディスプレイ６に表示する。このため、ＰＯＳ端末１では、屋外の状況を客向けに分かり易く表示することができる。また、ＰＯＳ端末１は、屋外において雨が降っている場合に、広告表示から上述した天気の表示に切り替え、駐車場の混雑具合が所定の混雑具合を上回る場合に、広告表示から上述した混雑具合の表示に切り替える構成である。このため、ＰＯＳ端末１は、広告の提供とともに、雨止みや混雑が収まるまで店舗に留まろうとする買い物客が必要とする情報も提供できる。
【００２７】
次いで、ＣＰＵ１０は、キーボード３の操作などによる精算処理を開始するか否かを判定し（Ｓ１８）、精算処理を開始しない場合（ＮＯ）はＳ１０へ処理を戻す。精算処理を開始する場合（ＹＥＳ）、ＣＰＵ１０は、キーボード３やスキャナ９による買上商品の入力や販売登録などの精算処理を行う（Ｓ１９）。次いで、ＣＰＵ１０は、駐車券処理キー３ｆの操作の有無に応じて駐車券の有無を判定することで、精算時において買上金額に応じた駐車料金の精算を行うか否かを判定する（Ｓ２０）。
【００２８】
精算時において買上金額に応じた駐車料金の精算を行う場合（ＹＥＳ）、ＣＰＵ１０は、混雑具合を示す混雑情報と、ネットワークカメラ３４で撮像した屋外の画像とをタッチパネル付客用ディスプレイ６に表示させる（Ｓ２１）。次いで、ＣＰＵ１０は、買上金額に応じて駐車料金を精算し、その精算結果をホスト装置３６に通知する精算処理を行い（Ｓ２２）、Ｓ１９における精算処理のレシート及びジャーナルの出力をＲ／Ｊプリンタ７に行わせる（Ｓ２３）。また、精算時において買上金額に応じた駐車料金の精算を行わない場合（ＮＯ）、ＣＰＵ１０は、Ｓ２３へ処理を進め、Ｓ１９における精算処理のレシート及びジャーナルの出力をＲ／Ｊプリンタ７に行わせる。このため、ＰＯＳ端末１は、精算時において駐車料金の精算を行う場合に、駐車場における混雑具合をタッチパネル付客用ディスプレイ６に表示するため、駐車場を利用する買い物客に対して、現在の駐車場の混雑具合などの屋外状況を分かり易く通知することができる。
【００２９】
図６、９は、本実施形態にかかるＰＯＳシステムの処理を例示する図である。図６、９に示すように、ＰＯＳ端末１は、通常表示として予め設定された広告をタッチパネル付客用ディスプレイ６に表示しているものとする。具体的には、図７に示すように、タッチパネル付客用ディスプレイ６における客用表示画面Ｇ１は、表示領域Ｇ１１、Ｇ１２、Ｇ１３などから構成されており、通常表示では表示領域Ｇ１１、Ｇ１２において広告などを表示している。表示領域Ｇ１３は、精算時における処理内容などを表示する領域である。
【００３０】
図６に示すように、雨量センサ３３は、雨を感知した場合（Ｓ３１）、雨が降ってきたことをネットワークＮＴにブロードキャストしてＰＯＳ端末１などに通知する（Ｓ３２）。ＰＯＳ端末１は、雨が降ってきたことの通知を受け、ネットワークカメラ３４に対して画像を要求する（Ｓ３３）。ネットワークカメラ３４は、ＰＯＳ端末１からの要求に応じて、屋外を撮像した画像をＰＯＳ端末１に送信する（Ｓ３４）。ＰＯＳ端末１は、タッチパネル付客用ディスプレイ６における通常表示を、天気情報と、要求に応じてネットワークカメラ３４から送信された画像との表示に切り替える（Ｓ３５）。具体的には、図８に示すように、客用表示画面Ｇ１の表示領域Ｇ１１において、現在の天気状況や予測された今後の天気状況をシンボル画像及び文字で表示する。また、客用表示画面Ｇ１の表示領域Ｇ１２において、ネットワークカメラ３４で撮像された屋外の画像を表示する。このため、ＰＯＳ端末１では、精算時における処理内容とともに、屋外の天気状況を客向けに分かり易く表示することができる。
【００３１】
ついで、雨量センサ３３は、雨が止んだ場合、雨が止んだことをネットワークＮＴにブロードキャストしてＰＯＳ端末１などに通知する（Ｓ３６）。雨が止んだ通知を受けたＰＯＳ端末１は、タッチパネル付客用ディスプレイ６における表示を通常表示に戻すこととなる。
【００３２】
図９に示すように、ＰＯＳ端末１は、客が多い時間帯である場合（Ｓ４１）、ネットワークカメラ３４に対して画像を要求する（Ｓ４２）。ネットワークカメラ３４は、ＰＯＳ端末１からの要求に応じて、屋外を撮像した画像をＰＯＳ端末１に送信する（Ｓ４３）。ＰＯＳ端末１は、タッチパネル付客用ディスプレイ６における通常表示を、混雑情報と、要求に応じてネットワークカメラ３４から送信された画像との表示に切り替える（Ｓ４４）。具体的には、図１０に示すように、客用表示画面Ｇ１の表示領域Ｇ１１において、駐車場における混雑具合をシンボル画像及び文字で表示する。また、客用表示画面Ｇ１の表示領域Ｇ１２において、ネットワークカメラ３４で撮像された屋外の画像を表示する。このため、ＰＯＳ端末１では、精算時における処理内容とともに、屋外の駐車場の混雑具合を客向けに分かり易く表示することができる。
【００３３】
なお、本実施形態のＣＰＵ１０が実行するプログラムは、ＲＯＭ１１等に予め組み込んで提供するように構成してもよい。また、上記プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供されてもよい。
【００３４】
また、上記プログラムを、インターネット等のネットワークに接続されたコンピュータ上に格納し、ネットワーク経由でダウンロードさせることにより提供するように構成しても良い。また、上記プログラムをインターネット等のネットワーク経由で提供または配布するように構成しても良い。
【００３５】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００３６】
１  ＰＯＳ端末
３  キーボード
３ｆ  駐車券処理キー
６  タッチパネル付客用ディスプレイ
３０  ストアサーバ
３３  雨量センサ
３４  ネットワークカメラ
３５  ＦＷ
３６  ホスト装置
３７  駐車券発券機
３８  駐車料精算機
４０  インターネット
４１  サーバ
ＮＴ  ネットワーク
【先行技術文献】
【特許文献】
【００３７】
【特許文献１】特開平５−２６６３４９号公報
【図１】
2010286990.tif 000003
【図２】
2010286990.tif 000004
【図３】
2010286990.tif 000005
【図４】
2010286990.tif 000006
【図５】
2010286990.tif 000007
【図６】
2010286990.tif 000008
【図７】
2010286990.tif 000009
【図８】
2010286990.tif 000010
【図９】
2010286990.tif 000011
【図１０】
2010286990.tif 000012